(57)【要約】【課題】本発明は、接近した少なくとも二つのバンドにおいて動作可能な小型基板アンテナを提供することを目的とする。【解決手段】本発明の基板アンテナは、前記基板に配置された環状の金属テープと、前記金属テープに囲まれて対称に配置される第１、第２放射部材と、を有する放射体と、前記放射体に接続され、コンダクターと遮蔽体とを有する信号伝送線と、を備える。前記金属テープを切断することによって、前記金属テープには、第１フィードバックと第２フィードバックとが設けられる。前記コンダクターは、前記第１フィードバックと第１放射部材とに接続される。前記遮蔽体は、前記第２フィードバックと第２放射部材とに接続される。【選択図】図１
2014039238.tif 000002
【特許請求の範囲】
【請求項１】
基板と、
前記基板に配置された環状の金属テープと、前記金属テープに囲まれて対称に配置される第１放射部材と第２放射部材と、を有する放射体と、
前記放射体に接続され、コンダクターと遮蔽体とを有する信号伝送線と、
を備え、
前記金属テープを切断することによって、前記金属テープには第１フィードバックと第２フィードバックとが設けられ、前記コンダクターが、前記第１フィードバックと前記第１放射部材とに接続され、前記遮蔽体が、前記第２フィードバックと前記第２放射部材とに接続されることを特徴とする基板アンテナ。
【請求項２】
前記放射体は、前記金属テープに囲まれて独立に配置される寄生部材を有することを特徴とする請求項１に記載の基板アンテナ。
【請求項３】
前記寄生部材の長さは、実質的に５．５ＧＨｚの動作バンドの周波数に対応する波長の１/２であることを特徴とする請求項２に記載の基板アンテナ。
【請求項４】
前記寄生部材は、前記第１放射部材と前記第２放射部材と平行することを特徴とする請求項２に記載の基板アンテナ。
【請求項５】
前記第１放射部材と前記第２放射部材とは互いに離れていて、前記第１放射部材の前記第２放射部材の近くに位置する一端が、前記第１フィードバックと接続され、前記第２放射部材の前記第１放射部材の近くに位置する一端が、前記第２フィードバックと接続されることを特徴とする請求項１に記載の基板アンテナ。
【請求項６】
前記第１放射部材と前記第２放射部材の長さはそれぞれ、実質的に５．５ＧＨｚの動作バンドの周波数に対応する波長の１/４であることを特徴とする請求項５に記載の基板アンテナ。
【請求項７】
前記金属テープは、実質的に縦辺と横辺とを有する矩形に囲まれ、前記第１放射部材と前記第２放射部材とが前記横辺と平行することを特徴とする請求項１に記載の基板アンテナ。
【請求項８】
前記金属テープの電気長は、実質的に２．４５ＧＨｚの動作バンドの周波数に対応する波長であることを特徴とする請求項１に記載の基板アンテナ。
【発明の詳細な説明】
【技術分野】
【０００１】
本発明は、アンテナに関し、特に、電子装置内に用いる基板アンテナに関するものである。
【背景技術】
【０００２】
従来技術の基板アンテナは、小型移動装置に用いられる。この基板アンテナは、接近する二つのバンドにおいて動作できる。この回路基板アンテナは、回路と、放射体と、グラウンド部と、を備える。
【先行技術文献】
【特許文献】
【０００３】
【特許文献１】米国特許第７６３９１９４号明細書
【発明の概要】
【発明が解決しようとする課題】
【０００４】
従来の基板アンテナのグラウンドが回路基板において大きい領域を占めることによって、小型アンテナを製作できない。
【０００５】
そこで本発明は、上述される従来技術の問題に鑑み、接近する二つのバンドにおいて動作可能な小型基板アンテナを提供することを目的とする。
【課題を解決するための手段】
【０００６】
前記目的を達成するために、本発明の基板アンテナは、前記基板に配置された環状の金属テープと、前記金属テープに囲まれて対称に配置される第１、第２放射部材と、を有する放射体と、前記放射体に接続され、コンダクターと遮蔽体とを有する信号伝送線と、を備える。前記金属テープを切断することによって、前記金属テープには、第１フィードバックと第２フィードバックとが設けられる。前記コンダクターは、前記第１フィードバックと第１放射部材とに接続される。前記遮蔽体は、前記第２フィードバックと第２放射部材とに接続される。
【発明の効果】
【０００７】
従来技術と比べると、本発明は以下の長所を有する。本発明の基板アンテナの金属テープの両端は、コンダクターと遮蔽体とに接続される。前記接続することによって生成される回路では、弱い直流電気のフィードバックに対して短絡が生成される。このような基板アンテナでは、周囲の静電気に対して強いアンチジャミング性能が得られる。回路基板と他の電子装置との間の距離が低減される。且つ、このような基板アンテナのリターンロス（ｒｅｔｕｒｎ  ｌｏｓｓ）は、周波数が２．４５ＧＨｚ近く、５．２〜５．３ＧＨｚ近く、或いは５．７〜５．８Ｈｚ近くの範囲において、−１０ｄＢより低い。接近する少なくとも二つのバンドにおいて動作可能な小型基板アンテナが得られる。
【図面の簡単な説明】
【０００８】
【図１】本発明の基板アンテナの組立斜視図である。
【図２】図１に示す基板アンテナの正面図である。
【図３】図１に示す基板アンテナのリターンロスが、２．４５ＧＨｚ近くの周波数によって変化することを示す図である。
【図４】図１に示す基板アンテナのリターンロスが、５．０〜６．０ＧＨｚの周波数によって変化することを示す図である。
【図５】図１に示す基板アンテナの２．４５ＧＨｚに対応する円偏波放射場を示す図である。
【図６】図１に示す基板アンテナの５．５ＧＨｚに対応する円偏波放射場を示す図である。
【発明を実施するための形態】
【０００９】
図１及び図２を参照すると、本発明の基板アンテナ１００は、基板３０と、前記基板３０の一つの側面に配置される放射体１０と、前記放射体１０に接続される信号伝送線２０と、を備える。前記信号伝送線２０は、同軸ケーブルを採用すると更に好ましい。前記信号伝送線２０は、コンダクター２１と、前記コンダクター２１を被覆する遮蔽体２２と、を有する。前記放射体１０は、環状の金属テープ１４と、前記金属テープ１４に囲まれて独立に配置される寄生部材１３と、前記金属テープ１４に囲まれて対称に配置される第１放射部材１１と第２放射部材１２と、を有する。前記金属テープ１４を切断することによって、金属テープ１４には、第１フィードバック１４１と、第２フィードバック１４２とが設けられる。前記コンダクター２１が、前記第１フィードバック１４１と第１放射部材１１とに電気接続されて、前記遮蔽体２２が、第２フィードバック１４２と第２放射部材１２とに電気接続される。
【００１０】
前記第１放射部材１１と第２放射部材１２と寄生部材１３とはそれぞれ、狭くて長い矩形の金属シートに形成され、金属テープ１４と一緒に基板３０の同じ側面に配置される。この実施形態において、寄生部材１３は、前記第１放射部材１１と第２放射部材１２と平行する。前記第１放射部材１１と第２放射部材１２とは、互いに離れている。前記第１放射部材１１の第２放射部材１２の近くに位置する一端が、マイクロテープ１０１によって、第１フィードバック１４１と接続される。前記第２放射部材１２の第１放射部材１１の近くに位置する一端が、マイクロテープ１０２によって、第２フィードバック１４２と接続される。
【００１１】
図３は、基板アンテナ１００のリターンロスが２．４５ＧＨｚ近くの周波数によって変化することを示す図である。図４は、基板アンテナ１００のリターンロスが５〜６ＧＨｚの周波数によって変化することを示す図である。２．４５ＧＨｚ近く、５．２〜５．３ＧＨｚ近く、或いは５．７〜５．８Ｈｚ近くの周波数における基板アンテナ１００のリターンロスは、−１０ｄＢより低い。このようなアンテナ１００は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）で規定される８０２．１１ａ/ｂ/ｇの三つのバンドで動作する。
【００１２】
前記金属テープ１４が、低周波数に対応し、第１放射部材１１と前記第２放射部材１２と寄生部材１３が、高周波数に対応する。金属テープ１４の電気長が、実質的に対応する動作バンドの中心周波数、即ち２．４５ＧＨｚに対応する波長であり、寄生部材１３の長さが、実質的に対応する動作バンドの中心周波数、即ち５．５ＧＨｚに対応する波長の１/２であり、第１放射部材１１と前記第２放射部材１２の電気長がそれぞれ、実質的に対応する動作バンドの中心周波数、即ち５．５ＧＨｚに対応する波長の１/４である。
【００１３】
前記金属テープ１４は、縦辺と横辺とを有する矩形に囲まれる。第１放射部材１１と前記第２放射部材１２とが前記横辺と平行し、第１フィードバック１４１と第２フィードバック１４２とが、前記横辺に配置される。この実施形態において、第１フィードバック１４１と第２フィードバック１４２の間の距離は、第１放射部材１１と前記第２放射部材１２の間の距離と同じである。これにより、マイクロテープ１０１とマイクロテープ１０２とは、平行する。
【００１４】
図５及び図６を参照すると、基板アンテナ１００が直立するテレビの両側に対称に配置される時、基板アンテナ１００によって、円偏波放射場が形成される。曲線１４５は、基板アンテナ１００がテレビの右側に位置し、２．４５ＧＨｚで動作する時の円偏波放射場を示す図である。曲線１４６は、基板アンテナ１００がテレビの左側に位置し、２．４５ＧＨｚで動作する時の円偏波放射場を示す図である。曲線１１５は、基板アンテナ１００がテレビの右側に位置し、５．５ＧＨｚで動作する時の円偏波放射場を示す図である。曲線１１６は、基板アンテナ１００がテレビの左側に位置し、５．５ＧＨｚで動作する時の円偏波放射場を示す図である。基板アンテナ１００がテレビの両側に対称に配置されると、良好な円偏波効果が得られる。基板アンテナ１００は、テレビのみに使用されるものではない。
【００１５】
基板アンテナ１００の金属テープ１４の両端は、コンダクター２１と遮蔽体２２とに接続される。この接続よって生成される回路では、弱い直流電気のフィードバックに対して短絡が生成される。このような基板アンテナ１００では、周囲の静電気に対して強いアンチジャミング性能が得られる。基板アンテナ１００と他の電子装置との間の距離が短くなる。
【００１６】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００１７】
１００  アンテナ
１０  放射体
１０１  マイクロテープ
１１  第１放射部材
１２  第２放射部材
１３  寄生部材
１４  金属テープ
１４１  第１フィードバック
１４２  第２フィードバック
２０  信号伝送線
２１  コンダクター
２２  遮蔽体
３０  基板
【図１】
2014039238.tif 000003
【図２】
2014039238.tif 000004
【図３】
2014039238.tif 000005
【図４】
2014039238.tif 000006
【図５】
2014039238.tif 000007
【図６】
2014039238.tif 000008